【手続補正書】
【提出日】平成19年5月29日(2007.5.29)
【手続補正１】
【補正対象書類名】特許請求の範囲
【補正対象項目名】全文
【補正方法】変更
【補正の内容】
【特許請求の範囲】
【請求項１】
化学式（ＩＩＩ）の化合物：
【化１】
2007131854.tif 000001
式中Ｒ1、Ｒ2、Ｒ3、Ｒ4、Ｒ5、Ｒ6、Ｒ7、Ｒ8、およびＲ9は、水素、シアノ、および約１つから約３０の炭素原子を含んだヒドロカルビル基から成るグループから独立して選択される、を含んでなる添加剤組成物。
【請求項２】
さらに化学式（ＩＩ）の化合物を含んで成る、請求項１に記載の組成物：
【化２】
2007131854.tif 000002
式中Ｒ1、Ｒ2、Ｒ3、Ｒ4、Ｒ5、およびＲ6は、水素、シアノ、および約１から約３０の炭素原子を含んだヒドロカルビル基から成るグループから独立して選択される。
【請求項３】
化学式（Ｖ）の化合物を含んで成る、請求項１に記載の組成物：
【化３】
2007131854.tif 000003
式中ｎは１から５の整数であり；また
Ｒ1、Ｒ2、Ｒ3、Ｒ4、Ｒ5、Ｒ6、Ｒ10、およびＲ11は、水素、シアノ、および約１から約３０の炭素原子を含んだヒドロカルビル基から成るグループから独立して選択される。
【請求項４】
化学式（ＶＩ）の化合物を含んで成る、請求項１に記載の組成物：
【化４】
2007131854.tif 000004
式中ｎは１から５の整数であり；また
Ｒ1、Ｒ2、Ｒ3、Ｒ4、Ｒ5、Ｒ6、Ｒ7、Ｒ8、Ｒ9、Ｒ10、およびＲ11は、水素、シアノ、および約１から約３０の炭素原子を含んだヒドロカルビル基から成るグループから独立して選択される。
【請求項５】
‐基油；および
‐化学式（ＩＩ）、（ＩＩＩ）、（Ｖ）、および（ＶＩ）の化合物のうち少なくとも一つ：
【化５】
2007131854.tif 000005
式中ｎは１から５の整数であり；また
Ｒ1、Ｒ2、Ｒ3、Ｒ4、Ｒ5、Ｒ6、Ｒ7、Ｒ8、Ｒ9、Ｒ10、およびＲ11は、水素、シアノ、および約１から約３０の炭素原子を含んだヒドロカルビル基から成るグループから独立して選択される、を含んでなる潤滑剤組成物。
【請求項６】
基油と、化学式（ＩＩＩ）の化合物を含んで成る添加剤組成物、とを混和することを含んで成る、潤滑剤組成物の製造方法：
【化６】
2007131854.tif 000006
式中Ｒ1、Ｒ2、Ｒ3、Ｒ4、Ｒ5、Ｒ6、Ｒ7、Ｒ8、およびＲ9は、水素、シアノ、および約１から約３０の炭素原子を含んだヒドロカルビル基から成るグループから独立して選択される。
【請求項７】
請求項５に記載の潤滑剤組成物を潤滑剤として使用することを含んで成る、車のギアの潤滑方法。
【請求項８】
請求項５による潤滑剤組成物を車のギアに添加することを含んで成る、車のギアの摩耗保護性を向上させる方法。
【請求項９】
請求項５による潤滑剤組成物を車のギアに添加することを含んで成る、車のギアの熱安定性を向上させる方法。
【請求項１０】
請求項５に記載の潤滑剤組成物を潤滑剤として使用することを含んで成る、車軸の潤滑方法。
【請求項１１】
請求項５による潤滑剤組成物を車軸に添加することを含んで成る、車軸の摩耗保護性を向上させる方法。
【請求項１２】
請求項５による潤滑剤組成物を車軸に添加することを含んで成る、車軸の熱安定性を向上させる方法。
【請求項１３】
請求項５に記載の潤滑剤組成物を潤滑剤として使用することを含んで成る、固定ギアボックスの潤滑方法。
【請求項１４】
請求項５による潤滑剤組成物を固定ギアボックスに添加することを含んで成る、固定ギアボックスの摩耗保護性を向上させる方法。
【請求項１５】
請求項５による潤滑剤組成物を固定ギアボックスに添加することを含んで成る、固定ギアボックスの熱安定性を向上させる方法。
【請求項１６】
請求項５に記載の潤滑剤組成物でギアを潤滑することを含んで成る、潤滑されたギアセットおよび潤滑されていないギアセットにより、ＡＳＴＭ  Ｄ６１２１に合格する方法。
【請求項１７】
請求項５に記載の潤滑剤組成物でギアを潤滑することを含んで成る、潤滑されていないギアセットにより、少なくとも約３２５°Ｆで少なくとも約１６時間ＡＳＴＭ  Ｄ６１２１に合格する方法。
【請求項１８】
請求項５に記載の潤滑剤組成物でギアを潤滑することを含んで成る、ＧＬ−５および／またはＳＡＥＪ２３６０の性能を維持する方法。
【請求項１９】
窒素含有化合物と亜リン酸ネオペンチルグリコールと硫黄含有化合物の反応生成物を含んで成る添加剤組成物。
【請求項２０】
基油、および窒素含有化合物と亜リン酸ネオペンチルグリコールと硫黄含有化合物の反応生成物を含んで成る潤滑剤組成物。
【請求項２１】
硫黄を含有していない亜リン酸ネオペンチルグリコールと比べて、向上された耐摩耗性を有する、硫黄を含有した亜リン酸ネオペンチルグリコール。
【請求項２２】
硫黄を含有していない亜リン酸ネオペンチルグリコールと比べて、向上された耐摩耗性を有する、硫黄を含有した亜リン酸ネオペンチルグリコールの塩。
【請求項２３】
硫黄を含有した亜リン酸ネオペンチルグリコールと比べて、向上された耐摩耗性を有する、硫黄を含有した亜リン酸ネオペンチルグリコールの塩。
【手続補正２】
【補正対象書類名】明細書
【補正対象項目名】０００６
【補正方法】変更
【補正の内容】
【０００６】
また、基油と、化学式（ＩＩ）、（ＩＩＩ）、（Ｖ）、および（ＶＩ）の化合物のうちの少なくとも一つとから成る潤滑剤組成物が開示されている：
【化２】
2007131854.tif 000007
式中ｎは１から５の整数であり；また
Ｒ1、Ｒ2、Ｒ3、Ｒ4、Ｒ5、Ｒ6、Ｒ7、Ｒ8、Ｒ9、Ｒ10、およびＲ11は、水素、シアノ、および約１から約３０の炭素原子を含んだヒドロカルビル基から成るグループから個々に選択されている。
【手続補正３】
【補正対象書類名】明細書
【補正対象項目名】００２１
【補正方法】変更
【補正の内容】
【００２１】
本明細書に開示された組成物は、以下に示した化学式（ＩＩ）、（ＩＩＩ）、（Ｖ）、および（ＶＩ）の化合物のうち少なくとも一つから成る添加剤組成物である。本明細書に開示された組成物はまた、開示された添加剤組成物および基油から成る潤滑剤組成物でもある。ある態様では、当組成物（添加剤あるいは潤滑剤）は、窒素含有化合物；亜リン酸ネオペンチルグリコールのようなリン含有化合物；および硫黄含有化合物の反応生成物から成る。
【化４】
2007131854.tif 000008
式中ｎは１から５の整数であり；また
Ｒ1、Ｒ2、Ｒ3、Ｒ4、Ｒ5、Ｒ6、Ｒ7、Ｒ8、Ｒ9、Ｒ10、およびＲ11は、水素、シアノ、および約１から約３０の炭素原子、例えば約１から約２０の炭素原子、そしてさらなる例としては約１から約１０の炭素原子を含んだヒドロカルビル基から成るグループの中から個々に選択されている。
【手続補正４】
【補正対象書類名】明細書
【補正対象項目名】００２５
【補正方法】変更
【補正の内容】
【００２５】
有用な亜リン酸エステルの非限定的な例には、ジブチルホスホン酸水素、ジイソブチルホスホン酸水素、ジオレイルホスホン酸水素、ジ（Ｃ14-18）ホスホン酸水素、亜リン酸トリフェニル、そしてどちらも以下に示されている、化学式（Ｉ）の化合物のような亜リン酸ジヒドロカルビル、および化学式（ＩＶ）の化合物のようなポリマー性亜リン酸エステルなどが含まれる。
【化５】
2007131854.tif 000009
式中ｎは約１から約５の整数であり；また
Ｒ1、Ｒ2、Ｒ3、Ｒ4、Ｒ5、Ｒ6、Ｒ10、およびＲ11は、水素、シアノ、および約１つから約３０の炭素原子、例えば約１つから約２０の炭素原子、そしてさらなる例としては約１つから約１０の炭素原子を含んだヒドロカルビル基から成るグループから個々に選択されている。ある態様において、ｎが約５以上の整数である場合、いかなる特定の論理にも限定されることなく、反復単位は完全には硫化しないと考えられている。
【手続補正５】
【補正対象書類名】明細書
【補正対象項目名】００４４
【補正方法】変更
【補正の内容】
【００４４】
ある態様では、硫黄を含んだリン含有化合物は、化学式（ＩＩ）および（Ｖ）の化合物のうち少なくとも一つである：
【化７】
2007131854.tif 000010
式中ｎは１から５の整数であり；また
Ｒ1、Ｒ2、Ｒ3、Ｒ4、Ｒ5、Ｒ6、Ｒ10、およびＲ11は、水素、シアノ、および約１から約３０の炭素原子、例えば約１から約２０の炭素原子、そしてさらなる例としては約１から約１０の炭素原子を含んだヒドロカルビル基から成るグループから個々に選択されている。
【手続補正６】
【補正対象書類名】明細書
【補正対象項目名】００５９
【補正方法】変更
【補正の内容】
【００５９】
硫黄を含んだリン含有化合物の塩は、油溶性である。すなわち塩のヒドロカルビル鎖が、結果として得られる化合物が調合された組成物に可溶であるように、少なくとも６つの炭素原子分などの十分な長さをしている。疎水基を取り入れることにより、非分極性の媒体の可溶性が増加される。硫黄を含んだリン含有化合物の塩の非限定的な例には、ジイソブチルチオリン酸Ｃ8-16３級アルキル１級アミン塩、ジ−２−エチルヘキシル−チオリン酸Ｃ8-16３級アルキル１級アミン塩、およびネオペンチルグリコールチオリン酸Ｃ8-16３級アルキル１級アミン塩などが含まれる。ある態様では、ジチオリン酸の塩が熟考されている。別の態様では、硫黄を含有したリン含有化合物の塩は、以下に示す化学式（ＩＩＩ）および（ＶＩ）の化合物のうちの少なくとも一つである：
【化９】
2007131854.tif 000011
式中ｎは１から５の整数であり；また
Ｒ1、Ｒ2、Ｒ3、Ｒ4、Ｒ5、Ｒ6、Ｒ7、Ｒ8、Ｒ9、Ｒ10、およびＲ11は、水素、シアノ、および約１から約３０の炭素原子、例えば約１から約２０の炭素原子、そしてさらなる例としては約１から約１０の炭素原子を含んだヒドロカルビル基から成るグループから個々に選択されている。ある態様では、化学式（ＶＩ）において、Ｒ1とＲ2はメチル；Ｒ3、Ｒ4、Ｒ5、Ｒ6、Ｒ7、およびＲ8は水素；Ｒ9はＣ12-14の３級アルキル基；またＲ10とＲ11は約１から約６の炭素原子から成るアルキル基である。ある態様では、化学式（ＩＩＩ）において、Ｒ3、Ｒ4、Ｒ5、Ｒ6、Ｒ7、およびＲ8は水素；Ｒ1とＲ2はメチル；またＲ9はＣ12-14の３級アルキル基である。
【手続補正７】
【補正対象書類名】明細書
【補正対象項目名】００９７
【補正方法】変更
【補正の内容】
【００９７】
本発明の主な特徴及び態様を挙げれば以下のとおりである。
１．化学式（ＩＩＩ）の化合物：
【化１０】
2007131854.tif 000012
式中Ｒ1、Ｒ2、Ｒ3、Ｒ4、Ｒ5、Ｒ6、Ｒ7、Ｒ8、およびＲ9は、水素、シアノ、および約１つから約３０の炭素原子を含んだヒドロカルビル基から成るグループから独立して選択される、を含んでなる添加剤組成物。
２．Ｒ3、Ｒ4、Ｒ5、Ｒ6、Ｒ7、およびＲ8が水素；Ｒ1およびＲ2がメチル；またＲ9がＣ12-14の第３級アルキル基である上記１に記載の組成物。
３．さらに化学式（ＩＩ）の化合物を含んで成る、上記１に記載の組成物：
【化１１】
2007131854.tif 000013
式中Ｒ1、Ｒ2、Ｒ3、Ｒ4、Ｒ5、およびＲ6は、水素、シアノ、および約１から約３０の炭素原子を含んだヒドロカルビル基から成るグループから独立して選択される。
４．Ｒ1とＲ2がメチル；またＲ3、Ｒ4、Ｒ5、およびＲ6が水素である上記３に記載の組成物。
５．化学式（Ｖ）の化合物を含んで成る、上記１に記載の組成物：
【化１２】
2007131854.tif 000014
式中ｎは１から５の整数であり；また
Ｒ1、Ｒ2、Ｒ3、Ｒ4、Ｒ5、Ｒ6、Ｒ10、およびＲ11は、水素、シアノ、および約１から約３０の炭素原子を含んだヒドロカルビル基から成るグループから独立して選択される。
６．Ｒ1とＲ2がメチル；Ｒ3、Ｒ4、Ｒ5、およびＲ6が水素；またＲ10とＲ11が約１から約６の炭素原子から成るアルキル基である上記５に記載の組成物。
７．化学式（ＶＩ）の化合物を含んで成る、上記１に記載の組成物：
【化１３】
2007131854.tif 000015
式中ｎは１から５の整数であり；また
Ｒ1、Ｒ2、Ｒ3、Ｒ4、Ｒ5、Ｒ6、Ｒ7、Ｒ8、Ｒ9、Ｒ10、およびＲ11は、水素、シアノ、および約１から約３０の炭素原子を含んだヒドロカルビル基から成るグループから独立して選択される。
８．Ｒ1およびＲ2がメチル；Ｒ3、Ｒ4、Ｒ5、Ｒ6、Ｒ7およびＲ8が水素；Ｒ9がＣ12-14の第３級アルキル基；またＲ10とＲ11が約１から約６の炭素原子を含んで成るアルキル基である上記７に記載の組成物。
９．
‐基油；および
‐化学式（ＩＩ）、（ＩＩＩ）、（Ｖ）、および（ＶＩ）の化合物のうち少なくとも一つ：
【化１４】
2007131854.tif 000016
式中ｎは１から５の整数であり；また
Ｒ1、Ｒ2、Ｒ3、Ｒ4、Ｒ5、Ｒ6、Ｒ7、Ｒ8、Ｒ9、Ｒ10、およびＲ11は、水素、シアノ、および約１から約３０の炭素原子を含んだヒドロカルビル基から成るグループから独立して選択される、を含んでなる潤滑剤組成物。
１０．化学式（ＩＩ）、（ＩＩＩ）、（Ｖ）、および（ＶＩ）の化合物のうちの少なくとも一つが、潤滑剤組成物の総重量に対して約０．２５重量％から約５０重量％の範囲の量で潤滑剤組成物中に存在する上記９に記載の組成物。
１１．基油が鉱油および合成油から選択される上記９に記載の組成物。
１２．基油がガス・ツー・リキッド基油である上記９に記載の組成物。
１３．耐摩耗剤、分散剤、希釈剤、消泡剤、乳化破壊剤、発泡防止剤、腐食防止剤、極圧添加剤、酸化防止剤、流動点降下剤、シール膨張剤、防錆剤、および摩擦調整剤の中から選択された少なくとも一つの添加剤をさらに含んでなる上記９に記載の組成物。
１４．基油と、化学式（ＩＩＩ）の化合物を含んで成る添加剤組成物、とを混和することを含んで成る、潤滑剤組成物の製造方法：
【化１５】
2007131854.tif 000017
式中Ｒ1、Ｒ2、Ｒ3、Ｒ4、Ｒ5、Ｒ6、Ｒ7、Ｒ8、およびＲ9は、水素、シアノ、および約１から約３０の炭素原子を含んだヒドロカルビル基から成るグループから独立して選択される。
１５．上記９に記載の潤滑剤組成物を潤滑剤として使用することを含んで成る、車のギアの潤滑方法。
１６．上記９による潤滑剤組成物を車のギアに添加することを含んで成る、車のギアの摩耗保護性を向上させる方法。
１７．上記９による潤滑剤組成物を車のギアに添加することを含んで成る、車のギアの熱安定性を向上させる方法。
１８．上記９に記載の潤滑剤組成物を潤滑剤として使用することを含んで成る、車軸の潤滑方法。
１９．上記９による潤滑剤組成物を車軸に添加することを含んで成る、車軸の摩耗保護性を向上させる方法。
２０．上記９による潤滑剤組成物を車軸に添加することを含んで成る、車軸の熱安定性を向上させる方法。
２１．上記９に記載の潤滑剤組成物を潤滑剤として使用することを含んで成る、固定ギアボックスの潤滑方法。
２２．上記９による潤滑剤組成物を固定ギアボックスに添加することを含んで成る、固定ギアボックスの摩耗保護性を向上させる方法。
２３．上記９による潤滑剤組成物を固定ギアボックスに添加することを含んで成る、固定ギアボックスの熱安定性を向上させる方法。
２４．上記９に記載の潤滑剤組成物でギアを潤滑することを含んで成る、潤滑されたギアセットおよび潤滑されていないギアセットにより、ＡＳＴＭ  Ｄ６１２１に合格する方法。
２５．上記９に記載の潤滑剤組成物でギアを潤滑することを含んで成る、潤滑されていないギアセットにより、少なくとも約３２５°Ｆで少なくとも約１６時間ＡＳＴＭ  Ｄ６１２１に合格する方法。
２６．上記９に記載の潤滑剤組成物でギアを潤滑することを含んで成る、ＧＬ−５および／またはＳＡＥＪ２３６０の性能を維持する方法。
２７．窒素含有化合物と亜リン酸ネオペンチルグリコールと硫黄含有化合物の反応生成物を含んで成る添加剤組成物。
２８．基油、および窒素含有化合物と亜リン酸ネオペンチルグリコールと硫黄含有化合物の反応生成物を含んで成る潤滑剤組成物。
２９．硫黄を含有していない亜リン酸ネオペンチルグリコールと比べて、向上された耐摩耗性を有する、硫黄を含有した亜リン酸ネオペンチルグリコール。
３０．硫黄を含有していない亜リン酸ネオペンチルグリコールと比べて、向上された耐摩耗性を有する、硫黄を含有した亜リン酸ネオペンチルグリコールの塩。
３１．硫黄を含有した亜リン酸ネオペンチルグリコールと比べて、向上された耐摩耗性を有する、硫黄を含有した亜リン酸ネオペンチルグリコールの塩。